(57)【要約】【課題】携帯電話機等に接続されているときと、単体で使用するときとでアンテナとのインピーダンスマッチングが自動的に行われる小型無線機のアンテナインピーダンスマッチング調整回路を提供する。【解決手段】電子機器４０１と接続可能な小型無線機３０１において、特定の電子機器と接続されたときの調整データと単体のときの調整データとを記憶する不揮発性メモリ１０５と、前記小型無線機が前記特定の電子機器と接続されたことを検出する検出手段１０６と、前記調整データによりアンテナとのインピーダンスマッチングを行う調整回路１０２とを備え、小型無線機３０１が特定の電子機器４０１と接続されたと単体のときで調整データを最適に選択し自動的に調整が行われるように構成した。【選択図】　　　　図１
2004032021.tif 000002
【特許請求の範囲】
【請求項１】
電子機器と接続可能な小型無線機において、特定の電子機器と接続されたときの調整データと単体のときの調整データとを記憶する不揮発性メモリと、前記小型無線機が前記特定の電子機器と接続されたことを検出する検出手段と、前記調整データによりアンテナとのインピーダンスマッチングを行う調整回路とを備え、前記小型無線機が前記特定の電子機器と接続されたと単体のときで調整データを最適に選択し自動的に調整が行われるように構成したことを特徴とする小型無線機のアンテナインピーダンスマッチング調整回路。
【請求項２】
前記特定の電子機器と接続されたときの調整データをインターネットによりダウンロードするように構成した請求項１の小型無線機のアンテナインピーダンスマッチング調整回路。
【発明の詳細な説明】
【０００１】
【発明の属する技術分野】
この発明は小型無線機に係わり、特に、そのアンテナインピーダンスマッチング調整回路に関する。
【０００２】
【従来の技術】
従来、無線機の送受信機とアンテナとをインピーダンスマッチングさせるためにアンテナチューナ等が用いられていた。
【０００３】
【発明が解決しようとする課題】
無線機に一般的に用いられるヘリカルアンテナやループアンテナはアンテナの方式や送受信する周波数にもよるが、アンテナの大きさに対して十分大きなアースが取られたときに最大の能力を発揮する。しかしながら、小型の無線機では十分大きなアースを取ることができない。この明細書においては、自機より大きな金属筐体やグランドを持つ携帯電話機等に接続され得る移動無線機を小型の無線機と称している。
【０００４】
小型の無線機の場合、携帯電話機に接続された状態でアンテナのインピーダンスマッチングを行った場合、その状態では良好に通信できるが、小型の無線機を単体で使用するときはアンテナに対するグランドの面積や位置関係が変化するので、それによってアンテナの共振周波数が変化して良好に通信ができなくなるという問題があった。
【０００５】
この発明は上記した点に鑑みてなされたものであって、その目的とするところは、携帯電話機等に接続されているときと、単体で使用するときとでアンテナとのインピーダンスマッチングが自動的に行われる小型無線機のアンテナインピーダンスマッチング調整回路を提供することにある。
【０００６】
【課題を解決するための手段】
この発明の小型無線機のアンテナインピーダンスマッチング調整回路は、電子機器と接続可能な小型無線機において、特定の電子機器と接続されたときの調整データと単体のときの調整データとを記憶する不揮発性メモリと、前記小型無線機が前記特定の電子機器と接続されたことを検出する検出手段と、前記調整データによりアンテナとのインピーダンスマッチングを行う調整回路とを備え、前記小型無線機が前記特定の電子機器と接続されたと単体のときで調整データを最適に選択し自動的に調整が行われるものである。
【０００７】
また、前記アンテナインピーダンスマッチング調整回路において、前記特定の電子機器と接続されたときの調整データをインターネットによりダウンロードするように構成したものである。
【０００８】
【発明の実施の形態】
この発明の実施例を図面に基づいて説明する。図１はこの発明の実施例の小型無線機の初期設定をするときの接続状態を示すブロック図である。図１に示すように無線機Ａ３０１に携帯電話機４０１が接続され、無線機Ｂ３０２に携帯端末５０１が接続された状態で、無線機Ａ３０１と無線機Ｂ３０２とが通信状態となり、携帯端末５０１により無線機Ａ３０１のアンテナインピーダンスマッチング用の調整回路１０２の調整データが初期設定される。
【０００９】
図１では無線機Ａ３０１および無線機Ｂ３０２の要部が示されている。無線機Ａ３０１において、送受信回路１０３はアンテナインピーダンスマッチング用の調整回路１０２を介してアンテナ１０１から送受信する。調整回路１０２（図２に図示している）に付いては後述する。
【００１０】
マイクロコンピュータ１０４は装置全体を制御するが、さらに、携帯電話機４０１との接続が初期設定された後では、無線機Ａ３０１が携帯電話機４０１に接続されているときと、無線機Ａ３０１単体で使用されるときとで調整回路１０２のインピーダンスを最適に設定する。
【００１１】
すなわち、無線機Ａ３０１はインターフェース１０７に接続コネクタ１０８を介して携帯電話機４０１と接続されるが、接続コネクタ１０８の接続の有無は着脱検出回路１０６が検出し、マイクロコンピュータ１０４は着脱検出回路１０６からの信号に基づいて不揮発性メモリ１０５に記憶されたデータにより調整回路１０２のインピーダンスを設定する。
【００１２】
無線機Ｂ３０２において、送受信回路２０３はアンテナ２０１を介して送受信する。マイクロコンピュータ２０４は装置全体を制御するが、さらに、インターフェース２０７および接続コネクタ２０８を介して携帯情報端末５０１が接続される。また、マイクロコンピュータ２０４には不揮発性メモリ２０５が接続されている。
【００１３】
図１に示すように接続された状態で携帯情報端末５０１により無線機Ａ３０１の不揮発性メモリ１０５にインピーダンス設定のデータを記憶させる。このとき、携帯情報端末５０１は無線機Ｂ３０２、無線機Ａ３０１および携帯電話機４０１を介してインターネット上のサポートサイト（ＷＥＢ上の特定ＵＲＬ）接続され、設定データがダウンロードされる。
【００１４】
図３に示すように、インターネット上のサポートサイトには無線機の機種とそれに接続される携帯の機種ごとに設定データが蓄積されている。携帯情報端末５０１は無線機Ａ３０１の機種およびそれに接続される携帯電話機４０１（携帯１）を指定することにより設定データがダウンロードされる。ダウンロードされたデータ（ＡＢ、ＣＤ）は先ず無線機Ｂ３０２の不揮発性メモリ２０５に記憶された後、または、携帯情報端末５０１に記憶された後、無線により無線機Ａ３０１の不揮発性メモリ１０５に書き込まれる。
【００１５】
このように初期設定された後は、マイクロコンピュータ１０４は無線機Ａ３０１に携帯電話機４０１が接続されているときは、不揮発性メモリ１０５に記憶されているデータ（ＡＢ、ＣＤ）により調整回路１０２のインピーダンス設定を行い、無線機Ａ３０１に携帯電話機４０１が接続されていないときは、不揮発性メモリ１０５に記憶されている単体で使用するときのデータにより調整回路１０２のインピーダンス設定を行う。
【００１６】
すなわち、マイクロコンピュータ１０４はＤ／Ａコンバータを内蔵しており、不揮発性メモリ２０５から読みだしたデジタルデータを電圧に変換して、図２に示す調整回路１０２の接続端子Ｔ２に出力する。
【００１７】
調整回路１０２はアンテナ１０１と送受信回路１０３との接続端子Ｔ１との間にコンデンサＣ２、可変容量ダイオードＶＣおよびコンデンサＣ１が直列に接続され、コンデンサＣ２と可変容量ダイオードＶＣとの接続点とグランドの間にコイルＬ１が接続され、可変容量ダイオードＶＣとコンデンサＣ１との接続点と接続端子Ｔ２の間に抵抗Ｒ１が接続されて構成されている。そして、接続端子Ｔ２の電圧により可変容量ダイオードＶＣの容量を変化させて調整回路１０２のインピーダンスを設定することができる。
【００１８】
実施例は以上のように構成されているが発明はこれに限られず、例えば、無線機がデスクトップパソコン、ノート型パソコン、ＰＤＡ、測定器や家庭電化製品等に接続される場合にもこの発明を適用できる。
【００１９】
また、接続されたコネクタから接続される機器が特定できる場合は、複数の機器を選択して接続する場合に、接続された機器に最適のインピーダンスマッチングを行うことも可能である。
【００２０】
さらに、無線機が接続される機器が予め特定されているときは、インターネットに接続することなしに、前もって、調整データが設定されているようにしてもよい。
【００２１】
【発明の効果】
この発明の小型無線機のアンテナインピーダンスマッチング調整回路によれば、例えば、制御端末により小型の無線機を初期設定することにより、使用者に特別の操作を要求することなしに、無線機の使用状態に応じてアンテナとのインピーダンスマッチングを最適に自動調整し最良な無線通信を実現できる。
【００２２】
また、小型の無線機が接続されるアンテナや携帯電話機の形状が追加されたり、変更されたりしても、無線機自体の本体のケースを開けて部品交換をしたり、プログラム、データメモリを書き替えたりすることなしに、インターネット上のデータベースを追加変更するだけで対応できる。
【図面の簡単な説明】
【図１】この発明の実施例の構成を示すブロック図である。
【図２】同実施例の構成の部分を示す回路図である。
【図３】同実施例の調整データの設定を示す構成図である。
【符号の説明】
１０１　アンテナ
１０２　調整回路
１０３　送受信回路
１０４　マイクロコンピュータ
１０５　不揮発性メモリ
１０６　脱着検出回路
１０７　インターフェース
１０８　接続コネクタ
２０１　アンテナ
２０３　送受信回路
２０４　マイクロコンピュータ
２０５　不揮発性メモリ
２０７　インターフェース
２０８　接続コネクタ
３０１　無線機Ａ
３０２　無線機Ｂ
４０１　携帯電話機
５０１　携帯情報端末
Ｃ１、Ｃ２　コンデンサ
Ｒ１　抵抗
Ｌ１　コイル
ＶＣ　可変容量ダイオード
Ｔ１、Ｔ２　接続端子
【図１】
2004032021.tif 000003
【図２】
2004032021.tif 000004
【図３】
2004032021.tif 000005